(57)【要約】【課題】真鍮製であっても盗難に遭う危険性が低い蓋部材を提供する。【解決手段】冷凍装置（1）に設けられる閉鎖弁（3）の操作部（45）を覆うための弁蓋（6）であって、操作部（45）を覆うように閉鎖弁（3）にネジ締結される蓋本体（7）と、蓋本体（7）を覆う樹脂製キャップ（8）とを備える。【選択図】図２
2007333165.tif 000002
【特許請求の範囲】
【請求項１】
冷凍装置（1）に設けられる閉鎖弁（3）の操作部（45）又は分岐継手の開口部を覆うための蓋部材であって、
前記操作部（45）又は開口部を覆うように前記閉鎖弁（3）又は前記分岐継手にネジ締結される蓋本体（7）と、
前記蓋本体（7）を覆う樹脂製キャップ（8）とを備えることを特徴とする蓋部材。
【請求項２】
請求項１において、
前記樹脂製キャップ（8）は、その内部に前記蓋本体（7）が挿入された状態で該蓋本体（7）に対して着脱可能に取り付けられていることを特徴とする蓋部材。
【請求項３】
請求項１において、
前記樹脂製キャップ（8）は、その内部に前記蓋本体（7）が挿入された状態で前記閉鎖弁（3）又は前記分岐継手に対して着脱可能に取り付けられていることを特徴とする蓋部材。
【請求項４】
請求項２又は３において、
前記樹脂製キャップ（8）は、ネジ締結によって着脱可能に取り付けられていることを特徴とする蓋部材。
【請求項５】
請求項４において、
前記樹脂製キャップ（8）と前記蓋本体（7）との間に挟持されて、該樹脂製キャップ（8）を該蓋本体（7）の挿入方向と反対方向に付勢する弾性部材（82）をさらに備えていることを特徴とする蓋部材。
【請求項６】
請求項１において、
前記樹脂製キャップ（8）は、前記蓋本体（7）を前記閉鎖弁（3）又は前記分岐継手の側から覆う第１分割体（9）と、該第１分割体（9）に着脱可能に取り付けられて、前記蓋本体（7）を該第１分割体（9）と反対側から覆う第２分割体（10）とを有していることを特徴とする蓋部材。
【請求項７】
請求項６において、
前記第１及び第２分割体（9,10）は、互いにネジ締結されて着脱可能に取り付けられていることを特徴とする蓋部材。
【請求項８】
請求項７において、
前記第１又は第２分割体（9,10）と前記蓋本体（7）との間に挟持されて、該第１及び第２分割体（9,10）を互いに分割させる方向に付勢する弾性部材（82）をさらに備えていることを特徴とする蓋部材。
【請求項９】
冷凍装置（1）に設けられる閉鎖弁（3）の操作部（45）又は分岐継手の開口部を塞ぐための真鍮製の蓋部材（6）であって、
その表面にメッキ処理が施されていることを特徴とする蓋部材。
【請求項１０】
請求項９において、
前記メッキ処理は、黒色クロムメッキ、亜鉛メッキ、黒色ニッケルメッキ及び黒色ロジウムメッキのうちの何れかであることを特徴とする蓋部材。
【発明の詳細な説明】
【技術分野】
【０００１】
本発明は、冷凍装置の閉鎖弁の操作部又は分岐継手の開口部の蓋部材に関するものである。
【背景技術】
【０００２】
従来より、特許文献１に開示されたような冷凍装置はよく知られている。一般的に、冷凍装置には、その配管中に閉鎖弁やサービスポート等の分岐継手が設けられている。
【０００３】
前記閉鎖弁は、圧縮機の前後に取り付けられ、圧縮機を交換する際に配管中の冷媒の流通を封止するために用いられる。その他にも、閉鎖弁は、室外機側ユニットと室内機側ユニットとの配管の接続部に設けられ、室外機側配管と室内機側配管とを接続させたり、接続を外したりするときに、配管中の冷媒の流通を封止するために用いられる。この閉鎖弁は、弁体を収納すると共に、該弁体を操作するための操作部が設けられた弁ハウジングと、該操作部を覆うように弁ハウジングに取り付けられた蓋部材とを備えている。そして、閉鎖弁を閉鎖及び開放するときには、蓋部材を取り外して、操作部から弁体を操作する一方、該弁体の操作が完了した後には蓋部材を取り付けて弁ハウジングの操作部を覆っている。
【０００４】
また、前記分岐継手は、一端が開口しており、その開口部に圧力計を取り付けたり、その開口部から配管中に冷媒を補充したりするために用いられる。この分岐継手の開口部には、蓋部材が設けられており、開口部に圧力計を取り付けたりするとき等、分岐継手を使用するときには蓋部材を取り外す一方、分岐継手を使用しないときには蓋部材が取り付けられている。
【０００５】
このような閉鎖弁や分岐継手は、加工性の観点から真鍮製であることが多い。ところが、蓋部材まで真鍮で形成すると、特に海外においては、蓋部材が盗難に遭う虞がある。つまり、真鍮等のように売却して換金可能な金属によって取り外し可能な部品を形成すると、盗難に遭う危険性がある。
【０００６】
そのため、従来は、前記蓋部材は樹脂で形成されていた。
【特許文献１】特開２００４−３２５０２２号公報
【発明の開示】
【発明が解決しようとする課題】
【０００７】
ところで、冷凍装置の閉鎖弁や分岐継手の蓋部材には気密性や耐圧性が要求される。
【０００８】
しかしながら、該蓋部材を樹脂で形成する構成においては、樹脂製の蓋部材は耐圧部品とはならないため、閉鎖弁や分岐継手の内部に別途、耐圧性を向上させるためのシール機構を設ける必要がある。その結果、閉鎖弁や分岐継手の構造が複雑になると共に、コストが高くなるという問題があった。
【０００９】
例えば、図１２に示すように、樹脂製の蓋部材を備える閉鎖弁（30）は、弁ハウジング（40）と、該弁ハウジング（40）に形成された挿通孔（430）を介して弁ハウジング（40）内に挿入された弁体（50）と、該挿通孔（430）の外側開口端部に形成される操作部（450）を覆う樹脂製の弁蓋（60）とを備えている。
【００１０】
前記弁ハウジング（40）は、その上流側接続部（410）に図示省略の圧縮機が接続される一方、その下流側接続部（420）に下流側配管（240）が接続されている。
【００１１】
また、前記弁体（50）は弁ハウジング（40）の挿通孔（430）内に挿通して配設される棒状部材で構成されている。そして、該弁体（50）の先端には、下流側への冷媒の流出を封止するフロントシール部（510）と、弁ハウジング（40）内を流通する冷媒が挿通孔（430）側へ流入しないように封止するバックシール部（520）とが形成されている。また、この弁体（50）の中間部には雄ネジ部が形成されている一方、弁ハウジング（40）の挿通孔（430）の一部には前記雄ネジ部と螺合する雌ネジ部が形成されており、弁体（50）の後端に設けられた把持部（530）をスパナ等で回転操作することで弁体（50）が弁ハウジング（40）内を進退するように構成されている。
【００１２】
さらに、弁ハウジング（40）の挿通孔（430）における外側端部には、パッキン下座金（540）とパッキン上座金（550）とで挟持されたグランドパッキン（560）と、該グランドパッキン（560）を挿通孔（430）内部に固定するためのパッキン押え（570）とが配設されている。このグランドパッキン（560）によって弁ハウジング（40）の挿通孔（430）と弁体（50）との隙間がシールされ、操作部（450）から冷媒が漏れることを防止している。
【００１３】
このように構成された閉鎖弁（30）を閉鎖するときには、弁体（50）を弁ハウジング（40）内に進入させて、弁ハウジング（40）内の下流側接続部（420）の内側開口端縁にフロントシール部（510）を当接させ、下流側への冷媒の流出を封止する。
【００１４】
一方、閉鎖弁（30）を開放するときには、弁体（50）を弁ハウジング（40）内から退出させて、圧縮機と下流側配管（240）とを連通させる。
【００１５】
また、弁体（50）の進退を繰り返すと、グランドパッキン（560）が摩耗して交換する必要があるが、グランドパッキン（560）を取り替えるときには、弁体（50）のバックシール部（520）を挿通孔（430）の内側開口端縁に当接させて、冷媒が挿通孔（430）側へ流入しないようにシールしている。
【００１６】
このように、弁ハウジング（40）の操作部（450）を覆う蓋部材（60）を樹脂で形成すると、弁ハウジング（40）内にグランドパッキン（560）を設けて耐圧性を確保する必要があり、閉鎖弁（30）の構造が複雑となると共に、そのコストが高くなる。
【００１７】
そのため、蓋部材で閉鎖弁の耐圧性を確保できるように、該蓋部材を金属製、その中でも加工性に優れた真鍮で形成したいという要望があった。
【００１８】
本発明は、かかる点に鑑みてなされたものであり、その目的は、真鍮製であっても盗難に遭う危険性が低い蓋部材を提供することにある。
【課題を解決するための手段】
【００１９】
本発明は、真鍮製の蓋本体（7）を樹脂製キャップ（8）で覆うことで、蓋本体（7）が真鍮製であることを隠匿するようにしたものである。
【００２０】
詳しくは、第１の発明は、冷凍装置（1）に設けられる閉鎖弁（3）の操作部（45）又は分岐継手の開口部を覆うための蓋部材が対象である。そして、前記操作部（45）又は開口部を覆うように前記閉鎖弁（3）又は前記分岐継手にネジ締結される蓋本体（7）と、前記蓋本体（7）を覆う樹脂製キャップ（8）とを備えるものとする。
【００２１】
前記の構成の場合、前記真鍮製の蓋本体（7）を前記樹脂製キャップ（8）で覆うことによって、樹脂製キャップ（8）で真鍮製の蓋本体（7）が隠匿され、該蓋部材は外観上、樹脂製であると視認される。特に海外では真鍮製の部品の盗難率が高いため、蓋本体（7）が真鍮製であることを隠匿することによって、蓋部材が盗難に遭う危険性を可及的に低減させることができる。
【００２２】
第２の発明は、第１の発明において、前記樹脂製キャップ（8）は、その内部に前記蓋本体（7）が挿入された状態で該蓋本体（7）に対して着脱可能に取り付けられているものとする。
【００２３】
前記の構成の場合、前記樹脂製キャップ（8）を前記蓋本体（7）に対して着脱可能に取り付けることによって、該蓋本体（7）を前記閉鎖弁（3）又は分岐継手から着脱するときには、該樹脂製キャップ（8）を取り外した状態で着脱操作を行うことができる。つまり、樹脂製キャップ（8）の上から所定の工具（例えば、スパナ等）をセットして蓋部材の着脱を行うと、該樹脂製キャップ（8）を損傷してしまう虞があるが、前記の構成では、前記樹脂製キャップ（8）を取り外した状態で該蓋本体（7）を着脱操作することができるため、該蓋本体（7）を所定の工具を用いて着脱する構成であっても着脱操作の際に樹脂製キャップ（8）を損傷してしまうことを防止することができる。
【００２４】
第３の発明は、第１の発明において、前記樹脂製キャップ（8）は、その内部に前記蓋本体（7）が挿入された状態で前記閉鎖弁（3）又は前記分岐継手に対して着脱可能に取り付けられているものとする。
【００２５】
前記の構成の場合、第２の発明と同様に、前記樹脂製キャップ（8）を取り外した状態で前記蓋部材を着脱操作することができるため、着脱操作の際に樹脂製キャップ（8）を損傷してしまうことを防止することができる。さらに、この発明では、該樹脂製キャップ（8）が前記蓋部材を覆いつつ前記閉鎖弁（3）又は前記分岐継手に取り付けられているため、樹脂製キャップ（8）によって該蓋部材を覆うだけでなく該蓋部材と前記閉鎖弁（3）又は分岐継手との取付部も覆うことができ、該取付部を保護することができる。例えば海上輸送用のコンテナ用冷凍装置（1）のように厳しい環境下で使用される冷凍装置（1）では、蓋部材と閉鎖弁（3）又は分岐継手との取付部が腐蝕して該蓋部材が取り外し難くなる虞がある。それに対し、前記の構成では、樹脂製キャップ（8）が取付部を覆うように取り付けられているため、該取付部を外部環境から保護することができる。
【００２６】
第４の発明は、第２又は第３の発明において、前記樹脂製キャップ（8）は、ネジ締結によって着脱可能に取り付けられているものとする。
【００２７】
前記の構成の場合、前記樹脂製キャップ（8）をネジ締結によって取り付けることによって、前記蓋本体（7）又は閉鎖弁（3）若しくは分岐継手に対して容易に着脱することができる。例えば、樹脂製キャップ（8）に凸状係合部を設ける一方、蓋本体（7）（又は閉鎖弁（3）若しくは分岐継手）に凹状被係合部を設けて、該凸状係合部を凹状被係合部に係合させて樹脂製キャップ（8）を蓋本体（7）等に取り付ける構成が考えられるが、かかる構成では、該凸状係合部と凹状被係合部との係合又は係合解除のために、樹脂製キャップ（8）を多少変形させる必要があり、或る程度の力を要する。ところが、前記の構成では、樹脂製キャップ（8）をネジ締結によって取り付けるため、該樹脂製キャップ（8）を変形させる必要がなく、容易に着脱を行うことができる。例えば、この蓋部材を海上等の厳しい環境下で使用される冷凍装置（1）に採用する場合には、前記樹脂製キャップ（8）の外部環境に対する耐久性を向上させるべく、樹脂製キャップ（8）を比較的硬い樹脂で形成することがあるが、かかる場合には前記の構成が特に有効である。
【００２８】
第５の発明は、第４の発明において、前記樹脂製キャップ（8）と前記蓋本体（7）との間に挟持されて、該樹脂製キャップ（8）を該蓋本体（7）の挿入方向と反対方向に付勢する弾性部材（82）をさらに備えているものとする。
【００２９】
前記の構成の場合、前記弾性部材（82）は、前記樹脂製キャップ（8）を蓋本体（7）とを取り付けたときに、該樹脂製キャップ（8）を蓋本体（7）が挿入された方向と反対方向に付勢しているため、樹脂製キャップ（8）のネジ締結が緩むことを防止することできる。
【００３０】
第６の発明は、第１の発明において、前記樹脂製キャップ（8）は、前記蓋本体（7）を前記閉鎖弁（3）又は前記分岐継手の側から覆う第１分割体（9）と、該第１分割体（9）に着脱可能に取り付けられて、前記蓋本体（7）を該第１分割体（9）と反対側から覆う第２分割体（10）とを有しているものとする。
【００３１】
前記の構成の場合、前記樹脂製キャップ（8）を分割構造とすることによって、前記蓋本体（7）や閉鎖弁（3）若しくは分岐継手に該樹脂製キャップ（8）を取り付けるための加工を施すことなく、該樹脂製キャップ（8）を蓋本体（7）又は閉鎖弁（3）若しくは分岐継手に対して着脱可能に取り付けることができる。
【００３２】
第７の発明は、第６の発明において、前記第１及び第２分割体（9,10）は、互いにネジ締結されて着脱可能に取り付けられているものとする。
【００３３】
前記の構成の場合、第１分割体（9）と第２分割体（10）とを取り付けるときに、該第１及び第２分割体（9,10）を変形させる必要がなく、ネジ締結によって容易に合体させることができる。つまり、第４の発明と同様に、樹脂製キャップ（8）が比較的硬い樹脂で形成されるときに特に有効である。
【００３４】
第８の発明は、第７の発明において、前記第１又は第２分割体（9,10）と前記蓋本体（7）との間に挟持されて、該第１及び第２分割体（9,10）を互いに分割させる方向に付勢する弾性部材（82）をさらに備えているものとする。
【００３５】
前記の構成の場合、前記弾性部材（82）は、前記第１分割体（9）と第２分割体（10）とを取り付けたときに、該第１及び第２分割体（9,10）を互いに分割させる方向に付勢しているため、該第１及び第２分割体（9,10）のネジ締結が緩むことを防止することできる。
【００３６】
また、別の本発明は、真鍮製の蓋部材にメッキ処理を施すことによって、蓋部材が真鍮製であることを隠匿するようにしたものである。
【００３７】
詳しくは、第９の発明は、冷凍装置（1）に設けられる閉鎖弁（3）の操作部（45）又は分岐継手の開口部を塞ぐための真鍮製の蓋部材が対象である。そして、その表面にメッキ処理が施されているものとする。
【００３８】
前記の構成の場合、メッキ処理を施すことによって、前記蓋部材が真鍮製であることが隠匿される。特に海外においては真鍮製の部品の盗難率が高いため、蓋部材が真鍮製であることを隠匿することによって、蓋部材の盗難率を可及的に低減させることができる。
【００３９】
第１０の発明は、第９の発明において、前記メッキ処理は、黒色クロムメッキ、亜鉛メッキ、黒色ニッケルメッキ及び黒色ロジウムメッキのうちの何れかであるものとする。
【００４０】
前記の構成の場合、黒色クロムメッキ、亜鉛メッキ、黒色ニッケルメッキ及び黒色ロジウムメッキのうちの何れかのメッキ処理を施された蓋部材は、真鍮製であるにもかかわらず、外観上、樹脂製に見せることができる。その結果、該蓋部材の盗難率をさらに低減させることができる。
【発明の効果】
【００４１】
本発明によれば、真鍮製の蓋本体（7）を樹脂製キャップ（8）で覆うことによって、該蓋本体（7）を隠匿することができ、蓋部材が盗難に遭う危険性を可及的に低減させることができる。
【００４２】
また、前記第２の発明によれば、樹脂製キャップ（8）を蓋本体（7）に対して着脱可能に取り付けることによって、蓋本体（7）を着脱操作するときには樹脂製キャップ（8）を取り外すことができ、着脱操作の際に樹脂製キャップ（8）を損傷してしまうことを防止することができる。
【００４３】
また、前記第３の発明によれば、樹脂製キャップ（8）を閉鎖弁（3）又は分岐継手に対して着脱可能に取り付けることによって、蓋本体（7）を着脱操作するときには樹脂製キャップ（8）を取り外すことができ、着脱操作の際に樹脂製キャップ（8）を損傷してしまうことを防止することができる。それと共に、樹脂製キャップ（8）を閉鎖弁（3）又は分岐継手に取り付けることによって、蓋本体（7）だけではなく、該蓋本体（7）と閉鎖弁（3）又は分岐継手との取付部も樹脂製キャップ（8）で覆うことができ、該取付部を外部環境から保護することができる。
【００４４】
また、前記第４の発明によれば、樹脂製キャップ（8）をネジ締結により着脱可能に取り付けることによって、該樹脂製キャップ（8）を容易に着脱させることができる。
【００４５】
また、前記第５の発明によれば、前記樹脂製キャップ（8）をネジ締結で取り付けるときに、該樹脂製キャップ（8）と蓋本体（7）との間で弾性部材（82）を挟持することによって、樹脂製キャップ（8）のネジ締結が緩むことを防止することができる。
【００４６】
また、前記第６の発明によれば、樹脂製キャップ（8）を分割構造とすることによって、蓋本体（7）や閉鎖弁（3）若しくは分岐継手に該樹脂製キャップ（8）を取り付けるための加工を施すことなく、該樹脂製キャップ（8）を蓋本体（7）又は閉鎖弁（3）若しくは分岐継手に対して着脱可能に取り付けることができる。
【００４７】
また、前記第７の発明によれば、第１及び第２分割体（9,10）を互いにネジ締結することによって、両者を容易に取り付けることができる。
【００４８】
また、前記第８の発明によれば、第１及び第２分割体（9,10）を取り付けたときに、前記第１分割体（9）と前記蓋本体（7）との間で弾性部材（82）を挟持することによって、第１及び第２分割体（9,10）のネジ締結が緩むことを防止することができる。
【００４９】
また、別の本発明によれば、真鍮製の蓋部材にメッキ処理を施すことによって、該蓋部材が真鍮製であることを隠匿することができ、該蓋部材が盗難に遭う危険性を可及的に低減させることができる。
【００５０】
また、前記第１０の発明によれば、真鍮製の蓋部材に黒色クロムメッキ、亜鉛メッキ、黒色ニッケルメッキ及び黒色ロジウムメッキのうちの何れかのメッキ処理を施すことによって、外観上、真鍮製の蓋部材を樹脂製に見せかけることができ、該蓋部材が盗難に遭う危険性をさらに低減させることができる。
【発明を実施するための最良の形態】
【００５１】
以下、本発明の実施形態を図面に基づいて詳細に説明する。
【００５２】
《発明の実施形態１》
本発明の実施形態１について説明する。
【００５３】
図１に示すように、コンテナ用冷凍装置（1）は、貨物が貯蔵されるコンテナ（C）の前側開口部に取り付けられるハウジング（20）を備えている。
【００５４】
このハウジング（20）の下部は、コンテナ（C）の庫内側に向かって凹んでいる。そして、ハウジング（20）の下部外側には、庫外側収納空間（S1）が形成されている一方、ハウジング（20）の上部内側には、庫内側収納空間（S2）が形成されている。
【００５５】
前記庫外側収納空間（S1）は、室外空気が流通する室外空気通路を構成している。この庫外側収納空間（S1）には、圧縮機（21）、凝縮器（22）、庫外ファン（23）等が設置されている。前記圧縮機（21）は、固定容量型のスクロール圧縮機で構成されている。前記凝縮器（22）は、庫外ファン（23）が送風する室外空気と冷媒とを熱交換させる、いわゆる空冷凝縮器で構成されている。
【００５６】
前記庫内側収納空間（S2）は、室内空気が流通する室内空気通路を構成している。この庫内側収納空間（S2）には、図示しない蒸発器及び庫内ファンが設置されている。蒸発器は、庫内ファンが送風する庫内空気と冷媒とを熱交換させる。
【００５７】
前記圧縮機（21）、凝縮器（22）、蒸発器及び膨張弁（図示省略）等は、冷媒配管（図示省略）によって互いに接続されている。その結果、コンテナ用冷凍装置（1）では、蒸気圧縮式の冷凍サイクルを行う冷媒回路が構成されている。
【００５８】
前記冷媒配管には、前記圧縮機（21）の前後に閉鎖弁（3）（図２参照）が設けられている。この閉鎖弁（3）は、圧縮機（21）を冷媒配管から取り外すときに、その前後における冷媒配管の冷媒の流通を封止させるためのものである。
【００５９】
図２には、圧縮機（21）の下流側に設けられる閉鎖弁（3）の部分断面図を示す。
【００６０】
前記閉鎖弁（3）は、圧縮機および冷媒の配管を構成する下流側配管（24）が接続された弁ハウジング（4）と、弁ハウジング（4）内に設けられた弁体（5）と、弁ハウジング（4）に形成された操作部（45）を覆う弁蓋（6）とを有している。
【００６１】
前記弁ハウジング（4）は真鍮製であって、図示省略の圧縮機が接続される上流側接続部（41）と、下流側配管（24）が接続される下流側接続部（42）と、内部に前記弁体（5）を挿通させる挿通孔（431）が形成された筒形状の弁収容部（43）と、サービスポート（44）とが設けられている。
【００６２】
前記弁収容部（43）は、後述する蓋本体（7）を取り付けるための小径部（432）と、後述する樹脂製キャップ（8）を取り付けるための大径部（433）とを有している。これら小径部（432）及び大径部（433）の外周には、それぞれ雄ネジが形成されている。また、小径部（432）の開口端にはテーパ面（434）が形成されている。
【００６３】
前記弁体（5）は、真鍮製の棒状部材で構成されている。この弁体（5）の内側端面には、下流側接続部（42）の内側開口端縁と当接して、弁ハウジング（4）内から下流側配管（24）への冷媒の流出を封止するシール部（51）が設けられている。また、弁体（5）の外側端部には、外周全周に亘って溝が形成されると共に該溝にＯリング（52）が設置されており、このＯリング（52）によって弁体（5）と挿通孔（431）との隙間がシールされている。さらに、弁体（5）の中間部には、前記挿通孔（431）に形成された雌ネジと螺合する雄ネジが形成されていると共に、弁体（5）の外側端面には、六角レンチを挿通するための工具挿通孔（53）が形成されている。この弁体（5）の外側端面は、挿通孔（431）の外側開口から外部に露出しており、この挿通孔（431）の外側開口が操作部（45）を構成している。つまり、操作部（45）から工具挿通孔（53）に六角レンチを挿通し、その六角レンチで弁体（5）を回転させることによって、弁体（5）を弁ハウジング（4）内に進入させたり、弁ハウジング（4）から退出させたりすることができる。
【００６４】
前記サービスポート（44）は、圧力計の取付、気密試験のためのガス充填、冷媒充填、エアパージなどサービスのための諸作業を行うためのものである。サービスポート（44）は、弁ハウジング（4）から分岐して延びる分岐継手で構成され、その開口端には蓋部材（441）が取り付けられている。
【００６５】
前記弁蓋（6）は、前記弁ハウジング（4）の弁収容部（43）に取り付けられて、前記操作部（45）を覆う蓋本体（7）と、該蓋本体（7）を覆う樹脂製キャップ（8）とを有している。
【００６６】
前記蓋本体（7）は、真鍮製の有底筒状部材である。この蓋本体（7）の内周面には、弁収容部（43）の小径部（432）の外周に形成された前記雄ネジと螺合する雌ネジが形成されており、この蓋本体（7）は弁収容部（43）の小径部（432）に対してネジ締結される。また、蓋本体（7）の内部には、内周全周に亘って形成された突条（71）が設けられている。そして、蓋本体（7）が弁収容部（43）に取り付けられたときに、この突条（71）が弁収容部（43）のテーパ面（434）と当接して、弁収容部（43）の挿通孔（431）をシールするように構成されている。
【００６７】
前記樹脂製キャップ（8）は、樹脂製の有底筒状部材である。この樹脂製キャップ（8）はその開口端部の内周に雌ネジが形成されていて、この雌ネジを弁収容部（43）の大径部（433）の雄ネジに螺合させることによって、蓋本体（7）を内部に挿入して覆った状態で弁ハウジング（4）に取り付けられている。また、樹脂製キャップ（8）の内部には、その内周に亘ってＯリング押さえ部（81）が形成されており、このＯリング押さえ部（81）にゴム製のＯリング（82）が設置されている。詳しくは、このＯリング押さえ部（81）は、樹脂製キャップ（8）を弁ハウジング（4）に取り付けたときに該Ｏリング押さえ部（81）と蓋本体（7）の外側端面とでＯリング（82）を圧縮方向に変形させる位置に形成されている。つまり、樹脂製キャップ（8）を弁ハウジング（4）に取り付けたときには、Ｏリング（82）によって樹脂製キャップ（8）が蓋本体（7）の挿入方向と反対方向、即ち、樹脂製キャップ（8）が蓋本体（7）から抜ける方向に付勢され、樹脂製キャップ（8）と弁ハウジング（4）との螺合が緩むことが防止されている。つまり、Ｏリング（82）は樹脂製キャップ（8）と弁ハウジング（4）との螺合の緩み止め部材としての機能を果たす。
【００６８】
このように構成された閉鎖弁（3）は、開放状態においては、弁体（5）が弁ハウジング（4）内において退出しており、シール部（51）が下流側接続部４２を開放した状態となっている。つまり、閉鎖弁（3）は、圧縮機と下流側配管（24）とを連通させた状態となっている。
【００６９】
一方、閉鎖弁（3）を閉鎖状態とするときには、まず、樹脂製キャップ（8）を弁ハウジング（4）から取り外す。次に、蓋本体（7）を弁ハウジング（4）から取り外す。そうすると、弁ハウジング（4）の操作部（45）に弁体（5）が現れ、該弁体（5）の工具挿通孔（53）に六角レンチを挿通して、該弁体（5）を回転させる。その結果、該弁体（5）が弁ハウジング（4）内へ進入し、そのシール部（51）が下流側接続部（42）の開口端縁に当接して該下流側接続部（42）を封止する。こうして、弁体（5）で下流側接続部（42）を封止した後、蓋本体（7）を弁ハウジング（4）に取り付けて、操作部（45）を塞ぐ。そして、樹脂製キャップ（8）を弁ハウジング（4）に取り付ける。尚、この閉鎖弁（3）を閉鎖状態とするときは、圧縮機（21）を取り外したり、サービスポート（44）を使って作業を行うときであるため、樹脂製キャップ（8）は弁ハウジング（4）に取り付けなくてもよい。
【００７０】
閉鎖弁（3）を再度、開放状態とするときには、前記の閉鎖状態とするときの逆の手順を行う。
【００７１】
−実施形態１の効果−
実施形態１によれば、樹脂製キャップ（8）によって、真鍮製の蓋本体（7）が覆われているため、蓋本体（7）を外部から視認することができない。その結果、蓋本体（7）が真鍮製であることを隠匿して、弁蓋（6）が盗難に遭う危険性を可及的に低減させることができる。
【００７２】
また、樹脂製キャップ（8）は、通常時は弁ハウジング（4）に着脱可能に取り付けられて蓋本体（7）を覆っているため、閉鎖弁（3）を操作すべく弁蓋（6）を着脱するときには、樹脂製キャップ（8）を取り外してから蓋本体（7）の着脱操作を行うことができる。つまり、樹脂製キャップ（8）の上からスパナ等をセットして弁蓋（6）を着脱すると樹脂製キャップ（8）を損傷してしまう虞がある。それに対し、樹脂製キャップ（8）を取り外してから、蓋本体（7）の着脱操作を行うことができるため、弁蓋（6）を着脱する際に樹脂製キャップ（8）を損傷してしまうことを防止することができる。
【００７３】
さらに、樹脂製キャップ（8）を、蓋本体（7）を覆った状態で弁ハウジング（4）に対して取り付けることによって、蓋本体（7）と弁収容部（43）の小径部（432）との取付部、即ち、雌ネジと雄ネジとが螺合している部分を樹脂製キャップ（8）で覆うことができる。その結果、蓋本体（7）と小径部（432）との取付部をそのような外部環境から保護することができ、蓋本体（7）が小径部（432）に固着して取り外し難くなることを防止することができる。本実施形態のように、冷凍装置（1）は海上輸送に用いられるコンテナ用である場合には、閉鎖弁（3）が海上等の厳しい外部環境に晒されるため、樹脂製キャップ（8）で蓋本体（7）と小径部（432）との取付部を覆う構成が特に有効である。
【００７４】
さらにまた、前記樹脂製キャップ（8）は海上等の厳しい外部環境下で使用されるため、耐久性に優れた比較的硬い樹脂で形成されるが、該樹脂製キャップ（8）の弁ハウジング（4）への取り付けはネジ締結であるため、樹脂製キャップ（8）を変形させる必要がなく、樹脂製キャップ（8）を回転させるだけで弁ハウジング（4）に対して容易に着脱させることができる。
【００７５】
また、樹脂製キャップ（8）を弁ハウジング（4）に取り付けたときに、該樹脂製キャップ（8）と蓋本体（7）との間でＯリング（82）を圧縮変形させた状態で挟持することによって、樹脂製キャップ（8）と弁ハウジング（4）との螺合が緩むことを防止することができる。
【００７６】
さらに、このように蓋本体（7）を真鍮で形成することによって、該蓋本体（7）の突条（71）と弁ハウジング（4）のテーパ面（434）とで操作部（45）をシールすると共に、そのシール部分の耐圧性を確保することができる。こうして、蓋本体（7）で耐圧性を確保できる結果、図１２に示す従来例に係る閉鎖弁（30）のようなグランドパッキン（560）等が不要となり、閉鎖弁（3）の構成を簡素化することができると共に、コストを低減させることができる。
【００７７】
《発明の実施形態２》
次に、本発明の実施形態２について説明する。
【００７８】
実施形態２に係る弁蓋（6）は、樹脂製キャップ（8B）の弁ハウジング（4）への取付構造が実施形態１と異なる。そこで、実施形態１と同様の構成については、同様の符号を付し、説明を省略する。
【００７９】
図３は、実施形態２に係る閉鎖弁（3）の弁蓋（6）を中心とした断面図を示す。
【００８０】
樹脂製キャップ（8B）の内周部には、径方向内側に突出する凸状係合部（83）が形成されている。一方、大径部（433）の外周部には、径方向内側に凹陥する凹状被係合部（435）が形成されている。そして、樹脂製キャップ（8B）の凸状係合部（83）を大径部（433）の凹状被係合部（435）に係合させることで、樹脂製キャップ（8B）が大径部（433）に取り付けられる。
【００８１】
また、実施形態１と同様に、樹脂製キャップ（8B）を大径部（433）に取り付けたときに樹脂製キャップ（8B）と蓋本体（7）とでＯリング（82）を圧縮変形させた状態で挟持しているため、樹脂製キャップ（8B）は蓋本体（7）から抜ける方向に付勢されており、凸状係合部（83）と凹状被係合部（435）との係合が確実なものになっている。
【００８２】
−実施形態２の効果−
実施形態２によれば、樹脂製キャップ（8B）によって、真鍮製の蓋本体（7）が覆われているため、蓋本体（7）を外部から視認することができない。その結果、蓋本体（7）が真鍮製であることを隠匿して、弁蓋（6）が盗難に遭う危険性を可及的に低減させることができる。
【００８３】
そして、実施形態２によれば、実施形態１のようにネジ締結させることなく、凸状係合部（83）と凹状被係合部（435）とを係合させるだけで樹脂製キャップ（8B）を弁ハウジング（4）に対して取り付けることができるため、樹脂製キャップ（8B）の着脱を容易に行うことができる。特に、樹脂製キャップ（8B）が比較的柔らかい樹脂で形成されている場合に有効である。
【００８４】
その他については、実施形態１と同様の作用効果を奏することができる。
【００８５】
−実施形態２の変形例−
尚、実施形態２では、樹脂製キャップ（8B）に凸状係合部（83）が形成される一方、大径部（433）に凹状被係合部（435）が形成されているが、これに限られるものではない。
【００８６】
例えば、樹脂製キャップ（8B）に凹状被係合部を、大径部（433）に凸状係合部を形成する構成でもよい。また、被係合部は凹状である必要はなく、樹脂製キャップ（8B）に凸状係合部を、大径部（433）に凸状被係合部を形成して、樹脂製キャップ（8B）を大径部（433）に取り付けるときに凸状係合部が凸状被係合部を乗り越えて、両者が係合する構成であってもよい。
【００８７】
《発明の実施形態３》
次に、本発明の実施形態３について説明する。
【００８８】
実施形態３に係る弁蓋（6）は、樹脂製キャップ（8C）の取り付け構造が実施形態１と異なる。そこで、実施形態１と同様の構成については、同様の符号を付し、説明を省略する。
【００８９】
図４は、実施形態３に係る閉鎖弁（3）の弁蓋（6）を中心とした断面図を示す。実施形態３に係る樹脂製キャップ（8C）は、蓋本体（7）に対してネジ締結されている。
【００９０】
つまり、蓋本体（7）の外周部には雄ネジが形成され、該雄ネジに樹脂製キャップ（8C）の開口端部の内周に設けられた雌ネジを螺合させることによって、樹脂製キャップ（8C）が蓋本体（7）に取り付けられている。
【００９１】
−実施形態３の効果−
実施形態３によれば、樹脂製キャップ（8C）によって、真鍮製の蓋本体（7）が覆われているため、蓋本体（7）を外部から視認することができない。その結果、蓋本体（7）が真鍮製であることを隠匿して、弁蓋（6）が盗難に遭う危険性を可及的に低減させることができる。
【００９２】
また、実施形態３は、樹脂製キャップ（8C）によって蓋本体（7）と弁ハウジング（4）との取付部を覆っていない点で実施形態１と異なるが、その他については実施形態１と同様であり、実施形態１と同様の作用効果を奏することができる。
【００９３】
−実施形態３の変形例−
実施形態３では、樹脂製キャップ（8C）をネジ締結によって蓋本体（7）に取り付けているが、樹脂製キャップ（8C）を蓋本体（7）にネジ締結する構成はこれに限られるものではない。
【００９４】
例えば、図５に示すように、蓋本体（7）の外側端面に雌ネジが形成されたネジ孔（72）を穿孔する一方、樹脂製キャップ（8C）の内部に該ネジ孔（72）に螺合する雄ネジが形成された雄ネジ部（84）を設けるように構成してもよい。
【００９５】
また、図６に示すように、蓋本体（7）の外側端面に外方に突出する雄ネジ部（73）を設ける一方、樹脂製キャップ（8C）の内部に該雄ネジ部（73）と螺合する雌ネジが形成されたネジ孔（85）を設けるように構成してもよい。
【００９６】
《発明の実施形態４》
次に、本発明の実施形態４について説明する。
【００９７】
実施形態４に係る弁蓋（6）は、樹脂製キャップ（8D）の取り付け構造が実施形態３と異なる。そこで、実施形態３と同様の構成については、同様の符号を付し、説明を省略する。
【００９８】
図７は、実施形態４に係る閉鎖弁（3）の弁蓋（6）を中心とした断面図を示す。
【００９９】
実施形態４では、樹脂製キャップ（8D）の内周部には、径方向内側に突出する凸状係合部（86）が形成されている。一方、蓋本体（7）の外周部に内側には、凹陥する凹状被係合部（74）が形成されている。そして、樹脂製キャップ（8D）の凸状係合部（86）を蓋本体（7）の凹状被係合部（74）に係合させることで、樹脂製キャップ（8D）を蓋本体（7）に取り付けるように構成している。
【０１００】
−実施形態４の効果−
実施形態４によれば、樹脂製キャップ（8D）によって、真鍮製の蓋本体（7）が覆われているため、蓋本体（7）を外部から視認することができない。その結果、蓋本体（7）が真鍮製であることを隠匿して、弁蓋（6）が盗難に遭う危険性を可及的に低減させることができる。
【０１０１】
そして、実施形態４によれば、実施形態３のようにネジ締結させることなく、凸状係合部（86）と凹状被係合部（74）とを係合させるだけで樹脂製キャップ（8D）を蓋本体（7）に対して取り付けることができるため、樹脂製キャップ（8D）の着脱を容易に行うことができる。特に、樹脂製キャップ（8D）が比較的柔らかい樹脂で形成されている場合に有効である。
【０１０２】
その他については、実施形態３と同様の作用効果を奏することができる。
【０１０３】
−実施形態４の変形例−
尚、実施形態４では、樹脂製キャップ（8D）に凸状係合部（86）が形成される一方、蓋本体（7）に凹状被係合部（74）が形成されているが、これに限られるものではない。
【０１０４】
例えば、樹脂製キャップ（8D）に凹状被係合部を、蓋本体（7）に凸状係合部を形成する構成でもよい。また、被係合部は凹状である必要はなく、樹脂製キャップ（8D）に凸状係合部を、蓋本体（7）に凸状被係合部を形成して、樹脂製キャップ（8D）を蓋本体（7）に取り付けるときに凸状係合部が凸状被係合部を乗り越えて、両者が係合する構成であってもよい。
【０１０５】
また、図８に示すように、樹脂製キャップ（8D）の開口端縁部に内側に屈曲する複数の係止爪部（87,87,…）を設け、該係止爪部（87,87,…）を蓋本体（7）の弁ハウジング（4）側の端面に係止することで、該樹脂製キャップ（8D）を蓋本体（7）に取り付けるように構成してもよい。このとき、前記実施形態１〜３と同様に樹脂製キャップ（8D）と蓋本体（7）の外側端面との間にはＯリング（82）が挟持されているため、樹脂製キャップ（8D）は蓋本体（7）から抜ける方向に付勢される一方、前記係止爪部（87,87,…）によって樹脂製キャップ（8D）が蓋本体（7）から抜けることが防止されている。つまり、Ｏリング（82）と係止爪部（87,87,…）とが協働することで、樹脂製キャップ（8D）が蓋本体（7）にしっかり取り付けられている。
【０１０６】
《発明の実施形態５》
次に、本発明の実施形態５について説明する。
【０１０７】
実施形態５に係る弁蓋（6）は、樹脂製キャップ（8E）の構成が実施形態１と異なる。そこで、実施形態１と同様の構成については、同様の符号を付し、説明を省略する。
【０１０８】
図９は、実施形態５に係る閉鎖弁（3）の弁蓋（6）を中心とした断面図を示す。実施形態５に係る樹脂製キャップ（8E）は、第１分割体（9）と第２分割体（10）とを有する分割構造となっている。
【０１０９】
詳しくは、樹脂製キャップ（8E）は、蓋本体（7）を弁ハウジング（4）側から覆う第１分割体（9）と、該第１分割体（9）にネジ締結により着脱可能に取り付けられて、蓋本体（7）を第１分割体（9）と反対側から覆う第２分割体（10）とを有している。
【０１１０】
第１分割体（9）は、樹脂製の有底筒状部材である。この第１分割体（9）は、その開口端部の外周に雄ネジが形成されている。また、第１分割体(9)の底部には、弁ハウジング（4）の小径部（432）が挿通する程度の開口（91）が形成されている。
【０１１１】
また、第２分割体（10）は、樹脂製の有底筒状部材である。この第２分割体（10）は、その開口端部の内周に前記第１分割体（9）の雄ネジと螺合する雌ネジが形成されている。また、第２分割体（10）の内部には、その内周に亘ってＯリング押え部（101）が形成されており、このＯリング押え部（101）にゴム製のＯリング（82）が設置されている。つまり、この第２分割体（10）は、前記実施形態１，３に係る樹脂製キャップ（8E）と同様の形状をしている。
【０１１２】
このように構成された第１及び第２分割体（9,10）は、第１分割体(9)と第２分割体（10）とで蓋本体（7）を挟持して第２分割体（10）の雌ネジを第１分割体（9）の雄ネジに螺合させることによって、蓋本体（7）を覆った状態で該蓋本体（7）に取り付けられている。さらに詳しくは、第１及び第２分割体（9,10）が蓋本体（7）に取り付けられたときには、第１分割体（9）の底部が蓋本体（7）の内側端面と当接する一方、第２分割体（10）内部のＯリング（82）が蓋本体（7）の外側端面と当接している。このとき、Ｏリング（82）は圧縮変形しており、第１分割体（9）と第２分割体（10）とを分割する方向に付勢している。その結果、第１分割体（9）と第２分割体（10）とのネジ締結が緩むことが防止されている。
【０１１３】
−実施形態５の効果−
実施形態５によれば、第１分割体（9）と第２分割体（10）とで構成される樹脂製キャップ（8E）によって、真鍮製の蓋本体（7）が覆われているため、蓋本体（7）を外部から視認することができない。その結果、蓋本体（7）が真鍮製であることを隠匿して、弁蓋（6）が盗難に遭う危険性を可及的に低減させることができる。
【０１１４】
また、実施形態５によれば、第１分割体（9）と第２分割体（10）とで蓋本体（7）を挟持した状態で該第１及び第２分割体（9,10）を互いに取り付けることによって樹脂製キャップ（8E）を蓋本体（7）に取り付けているため、蓋本体（7）に樹脂製キャップ（8E）を取り付けるための加工を施すことなく、樹脂製キャップ（8E）を蓋本体（7）に取り付けることができる。
【０１１５】
さらに、第１分割体(9)と第２分割体（10）との取付はネジ締結によって行われているため、両者を互いに取り付ける際に、第１又は第２分割体（9,10）を変形させる必要がなく、第１及び第２分割体（9,10）を回転させるだけで容易に取り付けることができる。
【０１１６】
その他については、実施形態３と同様の作用効果を奏することができる。
【０１１７】
−実施形態５の変形例−
前記実施形態５では、第１分割体（9）に雄ネジを形成する一方、第２分割体（10）に雌ネジを形成しているが、これに限られず、第１分割体（9）に雌ネジを形成する一方、第２分割体（10）に雄ネジを形成するように構成してもよい。
【０１１８】
また、前記Ｏリング（82）は第２分割体（10）と蓋本体（7）の外側端面との間で挟持されているが、第１分割体（9）と蓋本体（7）の内側端面との間に挟持されるように構成してもよい。
【０１１９】
《発明の実施形態６》
次に、本発明の実施形態４について説明する。
【０１２０】
実施形態６に係る弁蓋（6）は、樹脂製キャップ（8F）の第１分割体（9）と第２分割体（10）との取り付け構造が実施形態５と異なる。そこで、実施形態５と同様の構成については、同様の符号を付し、説明を省略する。
【０１２１】
図１０は、実施形態６に係る閉鎖弁（3）の断面図を示す。
【０１２２】
実施形態６に係る第１分割体（9）の開口端縁部には、その全周に亘って外側に屈曲して形成された係止環状部（92）が設けられている。
【０１２３】
一方、第２分割体（10）の開口端縁部には、複数箇所において内側に屈曲して形成された複数の係止爪部（102,102,…）が設けられている。
【０１２４】
このように構成された第１及び第２分割体（9,10）は、第１分割体(9)と第２分割体（10）とで蓋本体（7）を挟持して第１分割体（9）の係止環状部（92）に第２分割体（10）の係止爪部（102,102,…）を係止させることによって、蓋本体（7）を覆った状態で該蓋本体（7）に取り付けられている。さらに詳しくは、第１及び第２分割体（9,10）が蓋本体（7）に取り付けられたときには、第１分割体（9）の底部が蓋本体（7）の内側端面と当接する一方、第２分割体（10）内部のＯリング（82）が蓋本体（7）の外側端面と当接している。このとき、Ｏリング（82）は圧縮変形しており、第１分割体（9）と第２分割体（10）とを分割する方向に付勢している。その結果、第１分割体（9）の係止環状部（92）と第２分割体（10）の係止爪部（102,102,…）との係止が確実なものになっている。
【０１２５】
−実施形態６の効果−
実施形態６によれば、樹脂製キャップ（8F）によって、真鍮製の蓋本体（7）が覆われているため、蓋本体（7）を外部から視認することができない。その結果、蓋本体（7）が真鍮製であることを隠匿して、弁蓋（6）が盗難に遭う危険性を可及的に低減させることができる。
【０１２６】
そして、実施形態６によれば、実施形態５のようにネジ締結させることなく、係止環状部（92）と係止爪部（102,102,…）とを係止させるだけで第１分割体（9）と第２分割体（10）とを互いに取り付けることができるため、樹脂製キャップ（8F）の着脱を容易に行うことができる。特に、樹脂製キャップ（8F）が比較的柔らかい樹脂で形成されている場合に有効である。
【０１２７】
その他については、実施形態５と同様の作用効果を奏することができる。
【０１２８】
−実施形態６の変形例−
前記実施形態６では、第１分割体（9）に係止環状部（92）を設ける一方、第２分割体（10）に係止爪部（102,102,…）を設けているが、これに限られるものではない。すなわち、第１分割体（9）に外側に屈曲して形成される複数の係止爪部を設ける一方、第２分割体（10）に内側に屈曲して形成される係止環状部を設けるように構成してもよい。
【０１２９】
また、第２分割体（10）が第１分割体（9）に対して外側から取り付けられているが、これに限られず、第１分割体（9）を第２分割体（10）に対して外側から取り付けるように構成してもよい。
【０１３０】
さらに、前記Ｏリング（82）は第２分割体（10）と蓋本体（7）の外側端面との間で挟持されているが、第１分割体（9）と蓋本体（7）の内側端面との間に挟持されるように構成してもよい。
【０１３１】
《発明の実施形態７》
次に、本発明の実施形態７について説明する。
【０１３２】
実施形態７に係る弁蓋（6）は、樹脂製キャップを有さず、蓋本体（7G）にメッキ処理が施されている。そこで、実施形態１と同様の構成については、同様の符号を付し、説明を省略する。
【０１３３】
図１１は、実施形態７に係る閉鎖弁（3）の断面図を示す。
【０１３４】
実施形態７に係る弁蓋（6）は、表面にメッキ処理が施された蓋本体（7G）で構成される。この蓋本体（7G）は亜鉛メッキが施されており、その表面にはメッキ層（75）が形成されている（図１１では、メッキ層（75）を誇張して、実際よりも厚く図示している）。こうして、蓋本体（7G）の表面に亜鉛メッキを施すことによって、蓋本体（7G）の表面は黒色になり、樹脂製のように見える。
【０１３５】
−実施形態７の効果−
実施形態７によれば、蓋本体（7G）に亜鉛メッキを施すことによって、真鍮製の蓋本体（7G）を外観上は樹脂製に見せることができる。その結果、蓋本体（7G）が真鍮製であることを隠匿して、弁蓋（6）が盗難に遭う危険性を可及的に低減させることができる。
【０１３６】
また、樹脂製キャップを設けることなく、蓋本体（7G）が真鍮製であることを隠匿することができるため、蓋本体（7G）を着脱する際に樹脂製キャップを着脱させる必要がなく、蓋本体（7G）を着脱させる際の作業性を向上させることができる。さらには、樹脂製キャップの分だけコストを低減することができる。
【０１３７】
−実施形態７の変形例−
前記実施形態７では、蓋本体（7G）に亜鉛メッキを施しているが、これに限られるものではない。すなわち、蓋本体（7G）が真鍮製であることを隠匿することができるメッキであれば、任意のメッキを施すことができる。例えば、黒色クロムメッキ、黒色ニッケルメッキ及び黒色ロジウムメッキは、蓋本体（7G）を樹脂製に見せることができるため、特に好ましい。
【０１３８】
《その他の実施形態》
前記実施形態については、以下のような構成としてもよい。
【０１３９】
すなわち、前記樹脂製キャップ（8,8B〜8D）は、弁ハウジング（4）又は蓋本体（7）に対してネジ締結や係合によって取り付けられているが、これに限られるものではない。例えば、樹脂製キャップ（8,8B〜8D）を弁ハウジング（4）や蓋本体（7）に対して嵌め合いによって取り付ける構成であってもよい。
【０１４０】
また、前記樹脂製キャップ（8,8B〜8F）を取り付けたときには、該樹脂製キャップ（8,8B〜8F）と蓋本体（7）との間で、Ｏリング（82）を挟持しているが、これに限られず、樹脂製キャップ（8,8B〜8F）を蓋本体（7）の挿入方向と反対方向に付勢する弾性部材であれば、任意の弾性部材を採用することができる。さらには、樹脂製キャップ（8,8B〜8F）に緩み止め部材を設ける必要がない場合には、Ｏリング（82）等の弾性部材を設けなくてもよい。
【０１４１】
また、前記実施形態では、閉鎖弁（3）は圧縮機（21）の前後に設けられているが、これに限られるものではない。例えば、室外機側ユニットと室内機側ユニットとの配管の接続部に設けられる構成であってもよい。すなわち、閉鎖弁（3）は冷凍装置に用いられるものであれば、設置される位置に限定されるものではない。
【０１４２】
さらに、前記実施形態では、閉鎖弁（3）の弁蓋（6）について説明してきたが、前記実施形態の各構成を分岐継手の開口部を覆う蓋部材に適用することもできる。つまり、冷凍装置の配管中には、閉鎖弁（3）のサービスポート（44）のような分岐継手が設けられており、該分岐継手の開口部を塞ぐ蓋部材に前記実施形態の各構成を採用することができる。
【０１４３】
さらにまた、閉鎖弁（3）のサービスポート（44）に設けられた蓋部材（441）に、前記実施形態に係る弁蓋（6）の構成を採用することもできる。
【０１４４】
なお、以上の実施形態は、本質的に好ましい例示であって、本発明、その適用物、あるいはその用途の範囲を制限することを意図するものではない。
【産業上の利用可能性】
【０１４５】
以上説明したように、本発明は、冷凍装置の閉鎖弁の操作部又は分岐継手の開口部の蓋部材について有用である。
【図面の簡単な説明】
【０１４６】
【図１】本実施形態に係るコンテナ用冷凍装置を前方から視た概略斜視図である。
【図２】実施形態１に係る閉鎖弁の断面図である。
【図３】実施形態２に係る閉鎖弁の弁蓋の断面図である。
【図４】実施形態３に係る閉鎖弁の弁蓋の断面図である。
【図５】実施形態３の変形例に係る閉鎖弁の弁蓋の断面図である。
【図６】実施形態３の別の変形例に係る閉鎖弁の弁蓋の断面図である。
【図７】実施形態４に係る閉鎖弁の弁蓋の断面図である。
【図８】実施形態４の変形例に係る閉鎖弁の弁蓋の断面図である。
【図９】実施形態５に係る閉鎖弁の弁蓋の断面図である。
【図１０】実施形態６に係る閉鎖弁の弁蓋の断面図である。
【図１１】実施形態７に係る閉鎖弁の弁蓋の断面図である。
【図１２】従来例に係る閉鎖弁の弁蓋の断面図である。
【符号の説明】
【０１４７】
1    コンテナ用冷凍装置（冷凍装置）
3    閉鎖弁
45   操作部
6    弁蓋（蓋部材）
7,7G 蓋本体
8,8B〜8F  樹脂製キャップ
82   Ｏリング（弾性部材）
9    第１分割体
10   第２分割体
【図１】
2007333165.tif 000003
【図２】
2007333165.tif 000004
【図３】
2007333165.tif 000005
【図４】
2007333165.tif 000006
【図５】
2007333165.tif 000007
【図６】
2007333165.tif 000008
【図７】
2007333165.tif 000009
【図８】
2007333165.tif 000010
【図９】
2007333165.tif 000011
【図１０】
2007333165.tif 000012
【図１１】
2007333165.tif 000013
【図１２】
2007333165.tif 000014